(57)【特許請求の範囲】
【請求項１】
上部に奥部に行くほど上下方向に拡がった手摺嵌合孔が設けられた親柱と、
該親柱の前記手摺嵌合孔の開口縁に、左右側面が当接した状態で嵌められ、前記開口縁を支点として上下揺動され、傾斜角度を調節された上で固定するようになされた手摺とを有し、
前記手摺の端部が側面から見て先細となる形状をしており、前記手摺の端部が前記手摺嵌合孔に上下位置変更自在に所定の傾斜角度に調節して嵌められるように構成されている階段の手摺構成材。
【請求項２】
前記手摺の端部が、前記手摺嵌合孔の上下の開口縁に密接又はほぼ密接するように構成されている請求項１に記載の階段の手摺構成材。
【発明の詳細な説明】
【０００１】
【発明の属する技術分野】
本発明は階段の手摺構成材に関する。
【０００２】
【従来の技術】
従来、この種の階段の手摺構成材として以下の如きものは知られている。即ち、親柱と、手摺とを有しており、施工現場の階段の傾斜に対応してその施工現場で親柱にほぞ孔を形成すると共に手摺の端部に前記ほぞ孔に整合・嵌合するほぞを形成した後、施工するようにしたものは知られている。
【０００３】
【従来技術の欠点】
前記従来の階段の手摺構成材には以下の如き欠点があった。即ち、施工現場で親柱にほぞ孔を形成すると共に手摺の端部に前記ほぞ孔に整合・嵌合するほぞを形成するものであったため、施工効率が悪く、また、現場の作業員の熟練度によって出来栄え（納まり具合）に差が出るという欠点があった。
【０００４】
【課題を解決するための手段】
本発明は前記欠点を解消するために以下の如き手段を採用した。
請求項１の発明は、上部に奥部に行くほど上下方向に拡がった手摺嵌合孔が設けられた親柱と、該親柱の前記手摺嵌合孔の開口縁に、左右側面が当接した状態で嵌められ、前記開口縁を支点として上下揺動され、傾斜角度を調節された上で固定するようになされた手摺とを有し、前記手摺の端部が側面から見て先細となる形状をしており、前記手摺の端部が前記手摺嵌合孔に上下位置変更自在に所定の傾斜角度に調節して嵌められるように構成されているものである。
請求項２の発明は、請求項１の発明において、前記手摺の端部が、前記手摺嵌合孔の上下の開口縁に密接又はほぼ密接するように構成されているものである。
【０００５】
【発明の作用】
請求項１の発明は以下の如き作用をなすものである。施工現場で何らの加工・製作も行なうことなく、手摺の傾斜を施工現場の階段に対応したものとすることが出来る。請求項２の発明は、請求項１の発明に加えて、手摺の端部と手摺嵌合孔の開口縁とが密接又はほぼ密接状態を保つので、手摺と手摺嵌合孔の開口縁との納まりがよい。
【０００６】
【発明の実施の形態】
以下に、４つの、発明の実施の形態を図面を参照しつつ説明する。
なお、これらの説明において同一の部材は同一の符号で示す。
【０００７】
［発明の第１の実施の形態］（図１及び図２参照）
なお、この説明において、前とは図１左側を、後とは同右側をいい、左とは図１紙面表側を、右とは同裏側をいう。
【０００８】
階段の手摺構成材１は、上部に奥部に行くほど上下方向に拡がった手摺嵌合孔２が形成された親柱３（階段の下側階のもの）と、この親柱３の手摺嵌合孔２に嵌められて手摺嵌合孔２の上下の開口縁２ａを支点として上下揺動するようになされた手摺５とを有している。
【０００９】
前記手摺５は、基準傾斜角度を４３°とし、この角度から上方及び下方に７°程度揺動出来るようになされている。なお、傾斜角度とは、水平線と手摺５の中心線とがなす側面から見た角度をいう。
奥部に行くほど上下方向に拡がった手摺嵌合孔２とは、手摺５が所定の範囲で上下揺動出来るように奥部に行くほど上下方向に拡がった孔をいう。従って、手摺５が所定の範囲で上下揺動出来る手摺嵌合孔２であれば、奥部近傍が上下に狭まったものでも開口縁近傍が奥部に行くほど上下方向に拡がった手摺嵌合孔２であれば、この明細書でいう奥部に行くほど上下方向に拡がった手摺嵌合孔２である。
【００１０】
前記手摺５は、上下の開口縁２ａ（手摺５の上側面及び下側面に当接又はほぼ当接するもの）によって挾まれたかたちとなり（密接又はほぼ密接した状態となり）、それら開口縁２ａを支点として上下揺動するものである。なお、手摺５の左右側面は、手摺嵌合孔２の左右側面に密接又はほぼ密接するようになされている。即ち、手摺５は、手摺嵌合孔２内で左右には移動出来ないようになされている。
【００１１】
前記手摺嵌合孔２は、親柱３の前方角部から後方に向けて形成されている。
【００１２】
施工完了後において、手摺５は親柱３にねじ・釘・接着剤等の公知の固定手段によって固定される。
【００１３】
［発明の第２の実施の形態］（図３及び図４参照）
親柱３は、上部に、頂部を切除したかたちの装飾四角錐部１０を有しており、この装飾四角錐部１０の前側傾斜面（前とは図３の左側をいう。）から親柱３に手摺嵌合孔２が形成されている。
【００１４】
［発明の第３の実施の形態］（図５及び図６参照）
なお、この説明において、前とは図５左側を、後とは同右側をいう。
手摺嵌合孔２は、親柱３の前側面から後方に向けて形成されている。
手摺嵌合孔２を形成していない親柱３に、図５の二点鎖線に示すごとき後向きに開口した手摺嵌合孔２２を形成することによって、それを階段の上側階の親柱３とすることが出来る。
なお、図１に示す親柱３（手摺嵌合孔２を形成していないもの）や図３に示す親柱３（手摺嵌合孔２を形成していないもの）に、手摺嵌合孔２２を形成して、それらを階段の上側階の親柱３とすることが出来ることは勿論である。
【００１５】
［発明の第４の実施の形態］（図７及び図８参照）
なお、この説明において、前とは図７左側を、後とは同右側をいい、左とは図７紙面表側を、右とは同裏側をいう。
【００１６】
階段の手摺構成材１は、上部に奥部に行くほど上下方向に拡がった手摺嵌合孔２が形成された親柱３（階段の下側階のもの）と、この親柱３の手摺嵌合孔２に上下位置変更自在に嵌められる端部５ａを有する手摺５とを有している。
前記手摺５の端部５ａが、側面から見て先細となる形状をしており、手摺５を所定の傾斜状態（傾斜角度０°〜５０°）として端部５ａを手摺嵌合孔２に嵌め入れることによって、端部５ａが手摺嵌合孔２の上下の開口縁２ａに密接又はほぼ密接するようになされている。
なお、手摺５の左右側面は、手摺嵌合孔２の左右側面に密接又はほぼ密接するようになされている。即ち、手摺５は、手摺嵌合孔２内で左右には移動出来ないようになされている。
手摺嵌合孔２を形成していない親柱３に、図７の二点鎖線に示すごとき後向きに開口した手摺嵌合孔２２を形成することによって、それを階段の上側階の親柱３とすることが出来る。
【００１７】
【変形例等】
以下に変形例等について説明を加える。
（１）手摺子等は公知の方法で、手摺５に取り付けられる。
（２）親柱３の下端の床面や踏板等への固定は、公知の手段によって行なわれる。
（３）手摺嵌合孔２の形状は図示のものに限定されない。また、手摺５の断面形状も矩形に限定されない。
【００１８】
【発明の効果】
本発明は前記した如き構成によって以下の如き効果を奏する。
（１）請求項１の発明によれば、施工現場で何らの加工・製作も行なうことなく、手摺の傾斜を施工現場の階段に対応したものとすることが出来る。
（２）請求項２の発明によれば、施工現場で何らの加工・製作も行なうことなく、手摺の傾斜を施工現場の階段に対応したものとすることが出来ると共に、手摺の端部と手摺嵌合孔の開口縁とが密接又はほぼ密接状態となるので、手摺と手摺嵌合孔の開口縁との納まりがよい。
【図面の簡単な説明】
【図１】本発明の第１の実施の形態を示す中間省略の一部破砕の要部側面図である。
【図２】図１の平面図である。
【図３】本発明の第２の実施の形態を示す中間省略の一部破砕の要部側面図である。
【図４】図３の平面図である。
【図５】本発明の第３の実施の形態を示す中間省略の一部破砕の要部側面図である。
【図６】図５の平面図である。
【図７】本発明の第４の実施の形態を示す中間省略の一部破砕の要部側面図である。
【図８】図７の平面図である。
【符号の説明】
１  階段の手摺構成材
２  手摺嵌合孔
２ａ  開口縁
３  親柱
５  手摺
５ａ  端部
２２  手摺嵌合孔
【図１】
0004070279.tif 000002
【図２】
0004070279.tif 000003
【図３】
0004070279.tif 000004
【図４】
0004070279.tif 000005
【図５】
0004070279.tif 000006
【図６】
0004070279.tif 000007
【図７】
0004070279.tif 000008
【図８】
0004070279.tif 000009